(57)【要約】【課題】テーブルタップのような別部品を用いることなく、複数の電気機器の同時使用が可能な携帯型変圧器を提供する。【解決手段】携帯型変圧器は、ケース１と、ケース１に収納された単巻トランス１０と、ケース１に設けられ、単巻トランス１０の二次側に並列に接続された複数のプラグソケット６，７と、単巻トランス１の一次側に接続された差込プラグ１４とを有している。複数のプラグソケット６，７を備えているので、テーブルタップなどを用いることなく複数の電気機器を同時に使用することができ、このような別部品を用いることによる弊害を解消することができる。【選択図】図２
2007019228.tif 000002
【特許請求の範囲】
【請求項１】
ケースと、
このケースに収納されたリング状もしくは角形リング状の単巻トランスと、
前記ケースに設けられ、前記単巻トランスの二次側に並列に接続された複数のプラグソケットと、
前記単巻トランスの一次側に接続された差込プラグとを有する携帯型変圧器。
【請求項２】
前記単巻トランスの一次側に挿入されたサーマルプロテクタを有し、前記単巻トランスが所定温度以上になった場合に、前記単巻トランスへの通電をオフするようにした請求項１に記載の携帯型変圧器。
【請求項３】
前記複数のプラグソケットとして２個のプラグソケットを有し、これらのプラグソケットが前記単巻トランスを挟むように設けられ、一方のプラグソケットによって回路基板が保持されるように構成すると共に、
前記単巻トランスが前記ケースの内壁、他方のプラグソケットおよび前記回路基板によって位置決めされるように構成した請求項１又は２に記載の携帯型変圧器。
【発明の詳細な説明】
【技術分野】
【０００１】
本発明は、商用電源の変圧に用いられる携帯型の変圧器に関する。
【背景技術】
【０００２】
周知のように、家庭等に配電される商用電源は我国では１００Ｖであるが、他の国、例えば欧州では２２０〜２４０Ｖの国があり、また、米国では１２０Ｖであって、世界共通のものではない。そのため、海外旅行等で電源電圧の異なる国に行った場合に、携帯電話やデジタルカメラなどの我国仕様の充電器等の電気製品を直接当該国の電源で使用すると、トラブル発生の原因となる。
【０００３】
このようなトラブルを防ぐために、例えば、特許文献１に示されるような携帯型の変圧器が用いられている。
【特許文献１】特開平１１−１２１１２３号公報
【０００４】
特許文献１は海外旅行などに携帯される変圧器に関し、そこには、電気器具のプラグが差込まれる差込み部が変圧器本体の一端部に回動自在に設けられ、変圧器本体の他端部にアダプタプラグを介して電源に接続される端子が設けられており、差込み部の回動セッティングによって電気蚊取り器のような電気器具を水平状態で接続することができるように構成された変圧器が開示されている。変圧器本体の一端部に設けられた差込み部は、１個の差込み口を有している。
【発明の開示】
【発明が解決しようとする課題】
【０００５】
このような特許文献１によれば、差込み部には１個の差込み口が設けられているだけであるので、複数の電気機器を同時に使用することはできない。例えばデジタルカメラの充電器が差込み口に差込まれている場合、他の電気機器の使用は当該充電器を差込み口から外さなければ使用することができない。複数の電気機器を同時に使用するためには、複数のプラグソケットを有するテーブルタップを変圧器の差込み口に接続することが考えられる。しかしながら、これによれば、このようなテーブルタップを別途購入しなければならないばかりでなく、これを常に変圧器と共に携帯しなければならないなどの煩わしさがある。更には、テーブルタップに接続される電気機器の個数によっては変圧器の容量をオーバーし、過熱等によるトラブルを招来するおそれがある。
【０００６】
そこで、本発明は、テーブルタップのような別部品を用いることなく、複数の電気機器の同時使用が可能な携帯型変圧器を提供することを目的とする。
【課題を解決するための手段】
【０００７】
本発明においては、ケースと、このケースに収納されたリング状もしくは角形リング状の単巻トランスと、前記ケースに設けられ、前記単巻トランスの二次側に並列に接続された複数のプラグソケットと、前記単巻トランスの一次側に接続された差込プラグとを有する携帯型変圧器によって、上記目的を達成する。
【０００８】
また、本発明において、前記単巻トランスの一次側に挿入されたサーマルプロテクタを有し、前記単巻トランスが所定温度以上になった場合に、前記単巻トランスへの通電をオフするように構成することができる。
【０００９】
更に、本発明において、前記複数のプラグソケットとして２個のプラグソケットを有し、これらのプラグソケットが前記単巻トランスを挟むように設けられ、一方のプラグソケットによって回路基板が保持されるように構成すると共に、前記単巻トランスが前記ケースの内壁、他方のプラグソケットおよび前記回路基板によって位置決めされるように構成することができる。
【発明の効果】
【００１０】
本発明によれば、複数のプラグソケットが設けられているので、テーブルタップのような別部品を用いることなく、複数の電気機器を同時に使用することができる。そのため、別部品としてのテーブルタップを購入および携帯するなどの必要がなく、その煩わしさが解消されると共に、変圧器の容量をオーバーするような数の電気機器の接続の防止を図ることができる。
【００１１】
また、単巻トランスが所定温度以上になった場合に単巻トランスへの通電をオフするサーマルプロテクタを設けることで、変圧器の過熱を防止し、安全性の向上を図ることができる。
【００１２】
更に、単巻トランスがケースの内壁、プラグソケットおよび回路基板によって位置決めされるように構成することで、単巻トランスの固定手段を別途に設けることなく位置決めすることができる。また、プラグソケットおよび回路基板が単巻トランス隣接して設けられることとなるので、変圧器のより一層の小型化を図ることができる。
【発明を実施するための最良の形態】
【００１３】
携帯型変圧器は、ケースと、このケースに収納された単巻トランスと、当該ケースに設けられた複数のプラグソケットと、差込プラグとを有している。単巻トランスは、リング状に限定されることなく、角形リング状であってもよい。複数のプラグソケットは単巻トランスの二次側に並列に接続され、差込プラグは単巻トランスの一次側に接続されている。このように、複数のプラグソケットがケースに設けられているので、テーブルタップのような別部品を用いることなく、複数の電気機器を同時に使用することができる。
【００１４】
また、単巻トランスが所定温度以上になった場合に単巻トランスへの通電をオフするサーマルプロテクタを単巻トランスの一次側に設けることができる。更に、単巻トランスがケースの内壁、一方のプラグソケットによって保持される回路基板、および他方のプラグソケットによって位置決めされるように構成することができる。
【実施例１】
【００１５】
図１は本発明による携帯型変圧器の実施例の一例を示す平面図で、図２は図１のＡ−Ａ断面図、図３は蓋体を外した状態での図１の底面図、図４は図１の接続回路図である。
【００１６】
図において、参照番号１は略直方体形状のプラスチック製のケースで、容器状のケース本体２の開放された下面を蓋体３で閉成することによって構成されている。蓋体３は、例えばビス等によってケース本体２の下面に取り付けられるようになっている。ケース本体２の上面には、長手方向の両端部分に第１のプラグソケット６および第２のプラグソケット７を夫々受容する取付開口４，５が形成されていると共に、第１のプラグソケット６の近傍に表示ランプ８を露出させるための表示開口９が形成されている。
【００１７】
このようなケース１の内部には、トロイダルトランス１０が収納されている。トロイダルトランス１０は単巻トランスで、第１のプラグソケット６と第２のプラグソケット７との間に挟まれるように配置されている。トロイダルトランス１０の外径はケース１の内幅よりも僅かに小で、トロイダルトランス１０の外周面に絶縁テープ１１が巻回されている。この絶縁テープ１１によって、サーマルプロテクタ１２がトロイダルトランス１０の外周面に取付けられられていると共に、トロイダルトランス１０をケース１に収納した場合に、トロイダルトランス１０が、ケース１の幅方向の内壁、第１のプラグソケット６によって保持される後述の回路基板１３、および第２のプラグソケット７に当接ないし軽圧接することによって、位置決め固定されるように構成されている。そして、トロイダルトランス１０の上面および下面はケース１のケース本体２および蓋体３によって位置決め固定され、トロイダルトランス１０がケース１内でガタツクことのないようになっている。このようなトロイダルトランス１０は、例えば、一次側に２４０Ｖの交流電圧が与えられたときに二次側に１００Ｖの交流電圧が得られるように、その巻数比が設定されている。
【００１８】
第１のプラグソケット６は、プラグ受口６ａをケース１の上面に露出し、ソケット本体６ｂおよび端子６ｃがケース１内に収納されるように、ケース１の取付開口４に取付けられている。第１のプラグソケット６の端子６ｃは、回路基板１３を貫通し、半田によって回路基板１３に電気的に接続されると共に回路基板１３に固着される。これにより、ケース１に取付けられた第１のプラグソケット６によって、回路基板１３が保持されるようになっている。回路基板１３は本例では長方形状で、その一方の長辺がケース１の内壁に当接し、他方の長辺が絶縁テープ１１およびサーマルプロテクタ１２を介してトロイダルトランス１０の外周面に当接ないし軽圧接するようになっている。
【００１９】
第２のプラグソケット７は、プラグ受口７ａをケース１の上面に露出し、ソケット本体７ｂおよび端子７ｃがケース１内に収納されるように、ケース１の取付開口５に取付けられている。第２のプラグソケット７のソケット本体７ｂは、絶縁テープ１１を介してトロイダルトランス１０の外周面に当接ないし軽圧接するになっている。
【００２０】
このような第１および第２のプラグソケット６，７は、図４に示されるように、回路基板１３を介して、トロイダルトランス１０の二次側に並列に接続され、第１および第２のプラグソケット６，７にトロイダルトランス１０の二次側出力が与えられるようになっている。トロイダルトランス１０の一次側には、差込プラグ１４のコード１５が回路基板１３を介して接続されている。コード１５はスリーブ１６を介してケース１内に導入され、スリーブ１６はケース本体２と蓋体３とによってケース１に保持されるようになっている。これにより、差込プラグ１４をコンセントに差込むことによって、第１および第２のプラグソケット６，７に接続された電気機器に適正な交流電圧が与えられることとなる。
【００２１】
トロイダルトランス１０の二次側には、更に、本例ではＬＥＤからなる表示ランプ８と保護抵抗１６との直列接続が第１および第２のプラグソケット６，７と並列に挿入されており、差込プラグ１４のコンセントへの差込みによりトロイダルトランス１０に二次側出力が与えられている場合に点灯されるようになっている。このような表示ランプ８および保護抵抗１６は回路基板１３に設けられ、ケース１の表示開口９を介して表示ランプ８の点灯／消灯が容易に目視できるようになっている。また、サーマルプロテクタ１２はトロイダルトランス１０の一次側に挿入され、トロイダルトランス１０が所定温度以上になると、例えば７５℃以上になると、トロイダルトランス１０への通電をオフし、所定温度以下になることで再びオンするようになっている。
【００２２】
このような構成の携帯型変圧器は、例えば、４０Ｗ程度のもので、長さが７７ｍｍ、幅が４７ｍｍ、高さが４５ｍｍ程度となり、掌に入る大きさであって極めて小型且つ軽量化することができる。
【００２３】
以上述べた実施例では２個のプラグソケットを設けたが、これに限定するものではなく、３個以上のプラグソケットを設けるように構成してもよい。この場合も、各プラグソケットはトロイダルトランスの二次側に並列に接続されることとなる。
【００２４】
また、上記実施例ではトロイダルトランスを用いたが、リング状のトランスに限定するものではない。角形リング状のコアに巻線を巻回して構成した単巻トランスを用いるようにしてもよい。更に、トランスの巻数比は、対象となる電源電圧に応じて任意に設定できることは勿論である。
【産業上の利用可能性】
【００２５】
本発明によれば、テーブルタップのような別部品を用いることなく複数の電気機器を同時に使用することができ、海外旅行等において有効に利用することができる。
【図面の簡単な説明】
【００２６】
【図１】図１は本発明による携帯型変圧器の実施例の一例を示す平面図である。
【図２】図２は図１のＡ−Ａ断面図である。
【図３】図３は蓋体を外した状態での図１の底面図である。
【図４】図４は図１の接続回路図である
【符号の説明】
【００２７】
１    ケース
６    第１のプラグソケット
７    第２のプラグソケット
１０  トロイダルトランス（単巻トランス）
１２  サーマルプロテクタ
１３  回路基板
１４  差込プラグ
【図１】
2007019228.tif 000003
【図２】
2007019228.tif 000004
【図３】
2007019228.tif 000005
【図４】
2007019228.tif 000006